【手続補正書】
【提出日】平成16年6月24日(2004.6.24)
【手続補正１】
【補正対象書類名】明細書
【補正対象項目名】特許請求の範囲
【補正方法】変更
【補正の内容】
【特許請求の範囲】
【請求項１】  可変パワー調整回路であって、該回路は、
あるパルス幅を有するパルス信号を発生するパルス変調器と、
前記パルス信号及び周波数選択信号を受け、それぞれが前記周波数選択信号によって決まる周波数を有し、少なくとも二つが異なる開始タイミングである複数の位相シフトバースト信号を発生する位相遅延アレイと、
を具備することを特徴とする可変パワー調整回路。
【請求項２】  請求項１に記載の回路において、前記複数の位相シフトバースト信号の各位相シフトバースト信号は、各負荷を調整することを特徴とする可変パワー調整回路。
【請求項３】  請求項１に記載の回路において、前記パルス変調器は、前記パルス幅を選択するための可変セレクタを有することを特徴とする可変パワー調整回路。
【請求項４】  請求項３に記載の回路において、前記可変セレクタはＤＣ信号を提供するディマー回路と三角波を発生する発振器とを有し、前記パルス幅が前記ＤＣ信号と前記三角波との交点によって決まることを特徴とする可変パワー調整回路。
【請求項５】  請求項４に記載の回路において、前記ディマー回路は更に、前記ＤＣ信号のＤＣ値を設定するための調光セレクタと、前記パルス幅変調信号のパルス幅を発生するために用いられる、前記ＤＣ信号と前記三角波の前記交点を決めるための極性セレクタとを有することを特徴とする可変パワー調整回路。
【請求項６】  請求項１に記載の回路であって、更に、基準信号を受け、該基準信号に基づき前記周波数選択信号を発生する周波数セレクタを具備し、前記位相遅延アレイは、前記周波数選択信号を受け、前記パルス信号の周波数を前記周波数選択信号に設定することを特徴とする可変パワー調整回路。
【請求項７】  請求項１に記載の回路において、前記位相遅延アレイは、前記位相シフトバースト信号の少なくとも二つが異なる開始タイミングを有するように、前記複数の位相シフトバースト信号の各位相シフトバースト信号のタイミングを取るためのカウンタを有することを特徴とする可変パワー調整回路。
【請求項８】  請求項１に記載の回路において、各前記位相シフトバースト信号は、前記パルス信号の前記パルス幅に等しいパルス幅を有することを特徴とする可変パワー調整回路。
【請求項９】  請求項１に記載の回路において、前記位相遅延アレイは、少なくとも一つの位相遅延値を発生するための位相遅延発生器を有していることを特徴とする可変パワー調整回路。
【請求項１０】  請求項９に記載の回路において、前記少なくとも一つの位相遅延値は一定値であることを特徴とする可変パワー調整回路。
【請求項１１】  請求項１に記載の回路において、前記位相遅延アレイは、発生すべき前記位相シフトバースト信号の数を決定するための少なくとも一つの選択信号入力を有することを特徴とする可変パワー調整回路。
【請求項１２】  請求項１に記載の回路であって、更に、少なくとも一つの前記位相シフトバースト信号を受け、少なくとも一つの各負荷のために少なくとも一つの各パワー調整信号を発生する少なくとも一つの位相アレイドライバを具備し、前記パワー調整信号は前記位相シフトバースト信号の位相値に等しい位相値を有していることを特徴とする可変パワー調整回路。
【請求項１３】  請求項１２に記載の回路において、各前記位相アレイドライバは、１８０°位相が異なる二つの前記位相シフトバースト信号を受けて、１８０°位相が異なる二つの各パワー調整信号を発生することを特徴とする可変パワー調整回路。
【請求項１４】  請求項１２に記載の回路において、前記位相アレイドライバは更に、ソフトスタート期間の間、前記少なくとも一つの各負荷へのパワーを発生するソフトスタート回路を有し、前記ソフトスタート期間は、前記少なくとも一つの負荷がオフ状態から動作オン状態にパワーアップされる期間を画定し、前記負荷が一旦少なくとも動作オン状態になれば、前記負荷へのパワーは、バーストモード期間の間、前記各位相シフトバースト信号によって制御されることを特徴とする可変パワー調整回路。
【請求項１５】  請求項１２に記載の回路において、前記位相アレイドライバは更に、前記少なくとも一つの負荷の電圧を、所定電圧に制限するための少なくとも一つの比較器を有することを特徴とする可変パワー調整回路。
【請求項１６】  請求項１４に記載の回路において、前記位相アレイドライバは、前記ソフトスタート期間の間、前記負荷から帰還を受け、更に、前記少なくとも一つの位相シフトバースト信号から帰還を受ける少なくとも一つの誤差増幅器を有し、該誤差増幅器は、前記少なくとも一つの各パワー調整信号を発生することを特徴とする可変パワー調整回路。
【請求項１７】  請求項１２に記載の回路において、前記位相アレイドライバは更に、少なくとも一つの各負荷への電流を制御するか、又は前記少なくとも一つの各負荷の電圧を制御するかの何れかを選択するための少なくとも一つの電流又は電圧帰還セレクタを有することを特徴とする可変パワー調整回路。
【請求項１８】  請求項１７に記載の回路において、前記少なくとも一つの電流又は電圧セレクタはマルチプレクサからなることを特徴とする可変パワー調整回路。
【請求項１９】  請求項１４に記載の回路において、前記位相アレイドライバは更に、前記ソフトスタートモード期間又は前記バーストモード期間の何れかを選択するためのセレクタを有することを特徴とする可変パワー調整回路。
【請求項２０】  請求項１９に記載の回路において、前記セレクタはマルチプレクサからなることを特徴とする可変パワー調整回路。
【請求項２１】  請求項１２に記載の回路において、前記位相アレイドライバは更に、前記少なくとも一つの各負荷へのパワーを選択された電流又は最小電圧で制御するための最小電圧セレクタを有することを特徴とする可変パワー調整回路。
【請求項２２】  請求項２１に記載の回路において、前記セレクタはマルチプレクサからなることを特徴とする可変パワー調整回路。
【請求項２３】  請求項１２に記載の回路において、前記位相アレイドライバは更に、前記少なくとも一つの負荷にパワーを供給するためのランプ回路を有することを特徴とする可変パワー調整回路。
【請求項２４】  請求項１２に記載の回路において、前記位相アレイドライバは更に、少なくとも一つの各負荷へのＡＣ信号を発生するためのＤＣ／ＡＣコンバータ回路を有することを特徴とする可変パワー調整回路。
【請求項２５】  請求項２４に記載の回路において、前記コンバータは、前記ＡＣ信号に基づき前記負荷に高電圧を供給するためのトランスを有することを特徴とする可変パワー調整回路。
【請求項２６】  請求項１２に記載の回路において、前記位相アレイドライバは更に、不足電圧ロックアウトのための保護回路を有することを特徴とする可変パワー調整回路。
【請求項２７】  位相シフトバーストモード信号を発生する方法であって、該方法は、
あるパルス幅を有するパルス信号を発生する過程と、
周波数選択信号を発生する過程と、
前記周波数選択信号の周波数と前記パルス信号のパルス幅を有する複数の位相シフトバースト信号を発生する過程と、
前記位相シフトバースト信号の少なくとも一つを、前記位相シフトバースト信号の内の少なくとも一つの他のものとは異なる開始タイミングを有するように遅延させる過程と、
を具備することを特徴とする位相シフトバーストモード信号発生方法。
【請求項２８】  請求項２７に記載の方法であって、更に、前記複数の位相シフトバースト信号を用いて、複数の負荷へのパワーをそれぞれ調整する過程を具備することを特徴とする位相シフトバーストモード信号発生方法。
【請求項２９】  請求項２７に記載の方法であって、更に、各前記位相シフトバースト信号の間に一定の位相遅延を発生する過程を具備することを特徴とする位相シフトバーストモード信号発生方法。
【請求項３０】  請求項２８に記載の方法において、各前記位相シフトバースト信号の間に一定の位相遅延を発生する前記過程は、前記一定位相遅延のための値を発生するために、前記周波数選択信号の周期を前記複数の負荷の内利用されている負荷の数で除算する過程からなることを特徴とする位相シフトバーストモード信号発生方法。
【請求項３１】  位相シフトバーストモード調光装置であって、該装置は、
パルス幅変調信号を発生するパルス幅変調器と、
前記パルス幅変調信号のパルス幅を選択するための可変セレクタと、
前記パルス幅変調信号及び周波数選択信号を受け、少なくとも二つの前記パルス幅変調信号の間に位相遅延を発生することにより、複数の位相シフトバースト信号を発生する位相遅延アレイと、
を具備することを特徴とする位相シフトバーストモード調光装置。
【請求項３２】  請求項３１に記載の装置において、前記可変セレクタは、ＤＣ信号を提供するディマー回路と三角波を発生する発振器とを有し、前記パルス幅は、前記ＤＣ信号と前記三角波との交点によって決まることを特徴とする位相シフトバーストモード調光装置。
【請求項３３】  請求項３２に記載の装置において、前記ディマー回路は更に、ＤＣ信号のＤＣ値を設定するためのディマーセレクタと、前記パルス幅変調信号のパルス幅を発生するために用いられる、前記ＤＣ信号と前記三角波の前記交点を決めるための極性セレクタとを有することを特徴とする位相シフトバーストモード調光装置。
【請求項３４】  請求項３１に記載の装置であって、更に、基準信号を受けて周波数選択信号を発生する周波数セレクタを具備し、前記位相遅延アレイは、前記周波数選択信号を受け、前記パルス信号の周波数を前記周波数選択信号に設定することを特徴とする位相シフトバーストモード調光装置。
【請求項３５】  請求項３１に記載の装置において、前記位相遅延アレイは、前記位相シフトバースト信号の少なくとも二つが異なる開始タイミングを有するように、前記複数の位相シフトバースト信号の各位相シフトバースト信号のタイミングを取るためのカウンタを有することを特徴とする位相シフトバーストモード調光装置。
【請求項３６】  請求項３１に記載の装置において、各前記位相シフトバースト信号は、前記パルス信号のパルス幅に等しいパルス幅を有することを特徴とする位相シフトバーストモード調光装置。
【請求項３７】  請求項３１に記載の装置において、前記位相遅延アレイは、少なくとも一つの位相遅延値を発生するための位相遅延発生器を有することを特徴とする位相シフトバーストモード調光装置。
【請求項３８】  請求項３７に記載の装置において、前記少なくとも一つの位相遅延値は一定値であることを特徴とする位相シフトバーストモード調光装置。
【請求項３９】  請求項３１に記載の装置において、前記位相遅延アレイは、発生すべき前記位相シフトバースト信号の数を決定するための少なくとも一つの選択信号入力を有することを特徴とする位相シフトバーストモード調光装置。
【請求項４０】  請求項３１に記載の装置であって、更に、少なくとも一つの前記位相シフトバースト信号を受け、少なくとも一つの各負荷のために少なくとも一つの各パワー調整信号を発生する少なくとも一つの位相アレイドライバを具備し、前記パワー調整信号は前記位相シフトバースト信号の位相値に等しい位相値を有していることを特徴とする位相シフトバーストモード調光装置。
【請求項４１】  請求項４０に記載の装置において、各前記位相アレイドライバは、１８０°位相が異なる二つの前記位相シフトバースト信号を受けて、１８０°位相が異なる二つの各パワー調整信号を発生することを特徴とする位相シフトバーストモード調光装置。
【請求項４２】  請求項４０に記載の装置において、前記位相アレイドライバは更に、ソフトスタート期間の間、前記少なくとも一つの各負荷へのパワーを発生するソフトスタート回路を有し、前記ソフトスタート期間は、前記少なくとも一つの負荷がオフ状態から動作オン状態にパワーアップされる期間を画定し、前記負荷が一旦少なくとも動作オン状態になれば、前記負荷へのパワーは、バーストモード期間の間、前記各位相シフトバースト信号によって制御されることを特徴とする位相シフトバーストモード調光装置。
【請求項４３】  請求項４０に記載の装置において、前記位相アレイドライバは更に、前記少なくとも一つの負荷の電圧を、所定電圧に制限するための少なくとも一つの比較器を有することを特徴とする位相シフトバーストモード調光装置。
【請求項４４】  請求項４２に記載の装置において、前記位相アレイドライバは、前記ソフトスタート期間の間、前記負荷から帰還を受け、更に、前記少なくとも一つの位相シフトバースト信号から帰還を受ける少なくとも一つの誤差増幅器を有し、該誤差増幅器は、前記少なくとも一つの各パワー調整信号を発生することを特徴とする位相シフトバーストモード調光装置。
【請求項４５】  請求項４０に記載の装置において、前記位相アレイドライバは更に、前記少なくとも一つの各負荷への電流を制御するか、または前記少なくとも一つの各負荷の電圧を制御するかの何れかを選択するための少なくとも一つの電流又は電圧帰還セレクタを有することを特徴とする位相シフトバーストモード調光装置。
【請求項４６】  請求項４２に記載の装置において、前記少なくとも一つの電流又は電圧帰還セレクタはマルチプレクサからなることを特徴とする位相シフトバーストモード調光装置。
【請求項４７】  請求項４２に記載の装置において、前記位相アレイドライバは更に、前記ソフトスタートモード期間又はバーストモード期間の何れかを選択するためのセレクタを有することを特徴とする位相シフトバーストモード調光装置。
【請求項４８】  請求項４２に記載の装置において、前記少なくと一つのバーストモードセレクタはマルチプレクサからなることを特徴とする位相シフトバーストモード調光装置。
【請求項４９】  請求項４０に記載の装置において、前記位相アレイドライバは更に、前記少なくとも一つの各負荷へのパワーを選択された電流又は最小電圧で制御するための最小電圧セレクタを有することを特徴とする位相シフトバーストモード調光装置。
【請求項５０】  請求項４９に記載の装置において、前記セレクタはマルチプレクサからなることを特徴とする位相シフトバーストモード調光回路。
【請求項５１】  請求項４０に記載の装置において、前記位相アレイドライバは更に、前記少なくとも一つの負荷にパワーを供給するランプ回路を有することを特徴とする位相シフトバーストモード調光回路。
【請求項５２】  請求項４０に記載の装置において、前記位相アレイドライバは更に、少なくとも一つの各負荷へパワーを供給するために、ＡＣ信号を発生するＤＣ／ＡＣコンバータ回路を有することを特徴とする位相シフトバーストモード調光装置。
【請求項５３】  請求項５２に記載の装置において、前記コンバータは、前記ＡＣ信号に基づき前記負荷に高電圧を提供するためのトランスを有することを特徴とする位相シフトバーストモード調光回路。
【請求項５４】  請求項４０に記載の装置において、前記位相アレイドライバは更に、不足電圧ロックアウトのための保護回路を有することを特徴とする位相シフトバーストモード調光回路。
【請求項５５】  請求項６に記載の回路において、前記周波数セレクタは、前記基準信号の周波数を２倍化し、前記基準信号の周期の２倍の周期を有する前記周波数選択信号を発生する周波数ダブラを有することを特徴とする可変パワー調整回路。
【請求項５６】  請求項３４に記載の装置において、前記周波数セレクタは、前記基準信号の周波数を２倍化し、前記基準信号の周期の２倍の周期を有する前記周波数選択信号を発生する周波数ダブラを有することを特徴とする位相シフトバーストモード調光装置。
【請求項５７】  複数の位相シフトバーストモード信号を発生する過程と、
各前記位相シフトバーストモード信号を用いて、複数の負荷へのパワーを調整する過程と、を具備することを特徴としたパワー調整方法。
【請求項５８】  請求項５７に記載の方法であって、更に、パルス幅変調信号（ＰＷＭ信号）を発生する過程を具備し、前記各負荷それぞれに供給されるパワーが前記パルス幅変調信号のパルス幅によって決定されることを特徴とするパワー調整方法。
【請求項５９】  請求項５７に記載の方法であって、更に、前記複数の位相シフトバーストモード信号の少なくとも一つの周波数を、周波数選択信号に基づき決定する過程を具備することを特徴とするパワー調整方法。
【請求項６０】  請求項５７に記載の方法において、各前記負荷は、冷陰極蛍光ランプ（ＣＣＦＬ）からなることを特徴とするパワー調整方法。
【請求項６１】  請求項５７に記載の方法であって、更に、
少なくとも一部、それぞれの位相シフトバーストモード信号に基づき、複数のＡＣ信号を発生する過程と、
それぞれのＡＣ信号をそれぞれの負荷に供給する過程と、
を具備することを特徴とするパワー調整方法。
【請求項６２】  請求項５７に記載の方法であって、更に、
少なくとも一部、それぞれの位相シフトバーストモード信号の状態に基づき、少なくとも一つの負荷に対してパワーのオン、オフを行う過程を具備することを特徴とするパワー調整方法。
【請求項６３】  複数の位相シフトバーストモード信号を発生することが可能で、更に、各前記位相シフトバーストモード信号を用いて複数の負荷へのパワーを調整することが可能な集積回路を具備したパワー調整装置。
【請求項６４】  請求項６３に記載の装置において、前記集積回路は更に、変調回路と位相遅延アレイ回路とを具備し、前記変調回路は、あるパルス幅を有したパルス幅変調信号（ＰＷＭ信号）を発生することが可能で、前記位相遅延アレイ回路は、前記パルス幅変調信号を受けて、該パルス幅変調信号のパルス幅に基づき、前記複数の位相シフトバーストモード信号のうちの少なくとも一つの位相シフトバーストモード信号のパルス幅を設定することが可能である、ことを特徴とするパワー調整装置。
【請求項６５】  請求項６４に記載の装置において、前記集積回路は更に、基準信号を受け、該基準信号に基づき周波数選択信号を発生することが可能な周波数選択回路を具備し、前記位相遅延アレイ回路は更に、前記周波数選択信号を受け、少なくとも一部、前記周波数選択信号に基づき、前記位相シフトバーストモード信号の周波数を設定することが可能であることを特徴とするパワー調整装置。
【請求項６６】  請求項６３に記載の装置において、前記集積回路は更に、前記複数の位相シフトバーストモード信号を受け、各負荷への少なくとも一つのパワー調整信号を発生することが可能な位相アレイドライバ回路を具備することを特徴とするパワー調整装置。
【請求項６７】  請求項６３に記載の装置において、前記負荷は、複数の冷陰極蛍光ランプ（ＣＣＦＬ）からなることを特徴とするパワー調整装置。
【請求項６８】  請求項６７に記載の装置において、前記複数の冷陰極蛍光ランプは、液晶表示（ＬＣＤ）パネル内に設けられることを特徴とするパワー調整装置。